(57)【要約】【課題】端末装置が複数の無線リンクを行う際に中継通信を用いる場合の接続の切替時のデータ転送を円滑化すること。【解決手段】制御装置は、複数の基地局装置のうちの第１の基地局装置の制御の下で第１の基地局装置および第２の基地局装置と並行して無線通信している端末装置において、第２の基地局装置との接続が、中継装置を介した第３の基地局装置との接続に切り替えられることに少なくとも基づいて、第１の基地局装置または第２の基地局装置に、第３の基地局装置の情報を隣接基地局の情報として登録するように指示すると共に、第３の基地局装置に、第１の基地局装置の情報または第２の基地局装置の情報を隣接基地局の情報として登録させるための指示する。【選択図】  図７
2019134224.tif 000002
【特許請求の範囲】
【請求項１】
複数の基地局装置との間で、前記複数の基地局装置のうちの第１の基地局装置の制御の下で並行して無線通信することができる端末装置であって、
前記複数の基地局装置のうち、前記第１の基地局装置および第２の基地局装置との間での通信を並行して実行している間に、前記第２の基地局装置から、基地局装置と端末装置との間の通信を中継する中継装置へ接続先を切り替える場合に、前記第１の基地局装置の情報または前記第２の基地局装置の情報を前記中継装置に通知するように構成される、
ことを特徴とする端末装置。
【請求項２】
前記第２の基地局装置との間の通信が、前記中継装置と異なる他の中継装置を介して行われる場合、前記他の中継装置から、前記第２の基地局装置の情報を取得する、
ことを特徴とする請求項１に記載の端末装置。
【請求項３】
前記第１の基地局装置が前記第２の基地局装置と前記端末装置との間の通信におけるデータパスを管理する場合に、前記第１の基地局装置の情報を前記中継装置に通知し、前記第１の基地局装置が前記データパスを管理しない場合に、前記第２の基地局装置の情報を前記中継装置に通知するように構成される、
ことを特徴とする請求項１又は２に記載の端末装置。
【請求項４】
複数の基地局装置のうちの第１の基地局装置の制御の下で前記第１の基地局装置および第２の基地局装置と並行して無線通信している端末装置において、前記第２の基地局装置との接続が、中継装置を介した第３の基地局装置との接続に切り替えられることに少なくとも基づいて、前記第１の基地局装置または前記第２の基地局装置に、前記第３の基地局装置の情報を隣接基地局の情報として登録するように指示することと、前記第３の基地局装置に、前記第１の基地局装置の情報または前記第２の基地局装置の情報を隣接基地局の情報として登録させるための指示することと、の少なくともいずれかを行う、
ように構成されることを特徴とする制御装置。
【請求項５】
（１）前記第３の基地局装置に前記第１の基地局装置の情報が前記隣接基地局の情報として登録されていない場合に、当該第３の基地局装置から、前記第１の基地局装置の情報と前記第３の基地局装置の情報との組合せを取得するか、（２）前記第３の基地局装置に前記第２の基地局装置の情報が前記隣接基地局の情報として登録されていない場合に、当該第３の基地局装置から、前記第２の基地局装置の情報と前記第３の基地局装置の情報との組合せを取得するか、の少なくともいずれかを行うようにさらに構成される、
ことを特徴とする請求項４に記載の制御装置。
【請求項６】
前記第１の基地局装置の情報と前記第３の基地局装置の情報との組合せを前記第３の基地局装置から取得したことに応じて、前記第１の基地局装置に対して前記第３の基地局装置の情報を前記隣接基地局の情報として登録するように指示することと、前記第３の基地局装置に対して前記第１の基地局装置の情報を前記隣接基地局の情報として登録するように指示することと、の少なくともいずれかを行う、
ことを特徴とする請求項５に記載の制御装置。
【請求項７】
前記第２の基地局装置の情報と前記第３の基地局装置の情報との組合せを前記第３の基地局装置から取得したことに応じて、前記第２の基地局装置に対して前記第３の基地局装置の情報を前記隣接基地局の情報として登録するように指示することと、前記第３の基地局装置に対して前記第２の基地局装置の情報を前記隣接基地局の情報として登録するように指示することと、の少なくともいずれかを行う、
ことを特徴とする請求項５又は６に記載の制御装置。
【請求項８】
前記第１の基地局装置の情報と前記第３の基地局装置の情報との組合せを、所定期間内に所定回数以上、前記第３の基地局装置から取得したことに応じて、前記第１の基地局装置に対して前記第３の基地局装置の情報を前記隣接基地局の情報として登録するように指示することと、前記第３の基地局装置に対して前記第１の基地局装置の情報を前記隣接基地局の情報として登録するように指示することと、の少なくともいずれかを行う、
ことを特徴とする請求項５に記載の制御装置。
【請求項９】
前記第２の基地局装置の情報と前記第３の基地局装置の情報との組合せを、所定期間内に所定回数以上、前記第３の基地局装置から取得したことに応じて、前記第２の基地局装置に対して前記第３の基地局装置の情報を前記隣接基地局の情報として登録するように指示することと、前記第３の基地局装置に対して前記第２の基地局装置の情報を前記隣接基地局の情報として登録するように指示することと、の少なくともいずれかを行う、
ことを特徴とする請求項５又は８に記載の制御装置。
【請求項１０】
前記制御装置は、前記第１の基地局装置または前記第３の基地局装置に含まれる、
ことを特徴とする請求項４から９のいずれか１項に記載の制御装置。
【請求項１１】
前記制御装置は、前記複数の基地局装置と異なるネットワークノードに含まれる、
ことを特徴とする請求項４から９のいずれか１項に記載の制御装置。
【請求項１２】
複数の基地局装置との間で、前記複数の基地局装置のうちの第１の基地局装置の制御の下で並行して無線通信することができる端末装置の制御方法であって、
前記複数の基地局装置のうち、前記第１の基地局装置および第２の基地局装置との間での通信を並行して実行している間に、前記第２の基地局装置から、基地局装置と端末装置との間の通信を中継する中継装置へ接続先を切り替える場合に、前記第１の基地局装置の情報または前記第２の基地局装置の情報を前記中継装置に通知する工程を有する、
ことを特徴とする制御方法。
【請求項１３】
制御装置の制御方法であって、
複数の基地局装置のうちの第１の基地局装置の制御の下で前記第１の基地局装置および第２の基地局装置と並行して無線通信している端末装置において、前記第２の基地局装置との接続が中継装置を介した第３の基地局装置との接続に切り替えられることに少なくとも基づいて、前記第１の基地局装置または前記第２の基地局装置に、前記第３の基地局装置の情報を隣接基地局の情報として登録するように指示することと、前記第３の基地局装置に、前記第１の基地局装置の情報または前記第２の基地局装置の情報を隣接基地局の情報として登録させるための指示することと、の少なくともいずれかを行う工程を有する、
ことを特徴とする制御方法。
【請求項１４】
複数の基地局装置との間で、前記複数の基地局装置のうちの第１の基地局装置の制御の下で並行して無線通信することができる端末装置に備えられたコンピュータに、
前記複数の基地局装置のうち、前記第１の基地局装置および第２の基地局装置との間での通信を並行して実行している間に、前記第２の基地局装置から、基地局装置と端末装置との間の通信を中継する中継装置へ接続先を切り替える場合に、前記第１の基地局装置の情報または前記第２の基地局装置の情報を前記中継装置に通知させる、
ためのプログラム。
【請求項１５】
制御装置が有するコンピュータに、
複数の基地局装置のうちの第１の基地局装置の制御の下で前記第１の基地局装置および第２の基地局装置と並行して無線通信している端末装置において、前記第２の基地局装置との接続が中継装置を介した第３の基地局装置との接続に切り替えられることに少なくとも基づいて、前記第１の基地局装置または前記第２の基地局装置に、前記第３の基地局装置の情報を隣接基地局の情報として登録するように指示することと、前記第３の基地局装置に、前記第１の基地局装置の情報または前記第２の基地局装置の情報を隣接基地局の情報として登録させるための指示することと、の少なくともいずれかを行わせる、
ためのプログラム。
【発明の詳細な説明】
【技術分野】
【０００１】
本発明は、端末装置が複数の基地局装置と通信する際の通信制御技術に関する。
【背景技術】
【０００２】
非特許文献１に記載のように、３ＧＰＰ（第３世代パートナーシッププロジェクト）において、端末装置が、第１の基地局装置との通信と、その第１の基地局装置の制御下での第２の基地局装置との通信とを並行して行う技術が規格化されている。このような並行通信は、Ｄｕａｌ  Ｃｏｎｎｅｃｔｉｖｉｔｙと呼ばれる。非特許文献１には、さらに、中継装置（例えば端末装置）が基地局装置と端末装置との間の通信を中継することも規定されている。
【０００３】
Ｄｕａｌ  Ｃｏｎｎｅｃｔｉｖｉｔｙにおいて、中継通信が用いられることが想定される。すなわち、端末装置は、第１の基地局装置との通信と、その第１の基地局装置の制御下での、第２の基地局装置と接続する中継装置との通信とを並行して行いうる。この構成において、端末装置は、第１の中継装置から第２の中継装置へ、接続を切り替える（ハンドオーバを行う）ことが考えられる。接続の切り替えが行われる場合、第１の中継装置で送信すべきであったデータを、第２の中継装置へ転送する必要がある。例えば、図１のように、端末装置１０１が、第１の基地局装置１０２と接続すると共に、第１の中継装置１０４（例えば他の端末装置）を介して第２の基地局装置１０３と接続しているものとする。端末装置１０１は、この状態から、第１の基地局装置１０２との接続を維持したまま、第１の中継装置１０４を介した第２の基地局装置１０３との接続を、第２の中継装置１１２を介した第３の基地局装置１１１との接続に切り替えうる。この場合、第１の基地局装置１０２又は第２の基地局装置１０３から第３の基地局装置１１１へと、端末装置１０１に送信されるべきデータを転送することが必要となる。
【先行技術文献】
【非特許文献】
【０００４】
【非特許文献１】３ＧＰＰ、ＴＳ３６．３００、Ｖ１２．１０．０
【発明の概要】
【発明が解決しようとする課題】
【０００５】
上述のような状況において、端末装置１０１は、第３の基地局装置１１１が形成するセルの範囲外に存在することがあり、この場合、第１の基地局装置１０２が形成するセルと第３の基地局装置１１１が形成するセルとが隣接関係にない場合がありうる。このような基地局装置間の関係においては、第１の基地局装置１０２は、第３の基地局装置１１１との間では通信リンクを確立しないことが想定される。また、第２の基地局装置１０３も、自装置または制御通信を行う第１の基地局装置１０２が第３の基地局装置１１１と隣接関係にないことによって、第３の基地局装置１１１との通信リンクを確立しないことが想定される。この結果、端末装置における接続の切替時に、第３の基地局装置１１１への端末装置に送信されるべきデータの転送ができず、そのデータを端末装置へ送信できなくなる場合がありうるという課題があった。
【０００６】
本発明はかかる課題に鑑みてなされたものであり、端末装置が複数の無線リンクを行う際に中継通信を用いる場合の接続の切替時のデータ転送を円滑化する技術を提供することを目的とする。
【課題を解決するための手段】
【０００７】
本発明の一態様による端末装置は、複数の基地局装置との間で、前記複数の基地局装置のうちの第１の基地局装置の制御の下で並行して無線通信することができる端末装置であって、前記複数の基地局装置のうち、前記第１の基地局装置および第２の基地局装置との間での通信を並行して実行している間に、前記第２の基地局装置から、基地局装置と端末装置との間の通信を中継する中継装置へ接続先を切り替える場合に、前記第１の基地局装置の情報または前記第２の基地局装置の情報を前記中継装置に通知するように構成される、ことを特徴とする。
【０００８】
また、本発明の別の一態様による制御装置は、複数の基地局装置のうちの第１の基地局装置の制御の下で前記第１の基地局装置および第２の基地局装置と並行して無線通信している端末装置において、前記第２の基地局装置との接続が、中継装置を介した第３の基地局装置との接続に切り替えられることに少なくとも基づいて、前記第１の基地局装置または前記第２の基地局装置に、前記第３の基地局装置の情報を隣接基地局の情報として登録するように指示することと、前記第３の基地局装置に、前記第１の基地局装置の情報または前記第２の基地局装置の情報を隣接基地局の情報として登録させるための指示することと、の少なくともいずれかを行う、ように構成されることを特徴とする。
【発明の効果】
【０００９】
本発明によれば、端末装置が複数の無線リンクを行う際に中継通信を用いる場合の接続の切替時のデータ転送を円滑化することができる。
【図面の簡単な説明】
【００１０】
【図１】無線通信システムの構成例を示す図。
【図２】装置のハードウェア構成例を示す図。
【図３】端末装置の機能構成例を示すブロック図。
【図４】中継装置の機能構成例を示すブロック図。
【図５】基地局装置の機能構成例を示すブロック図。
【図６】制御装置の機能構成例を示すブロック図。
【図７】無線通信システムで実行される処理の流れの第１の例を示す図。
【図８】無線通信システムで実行される処理の流れの第２の例を示す図。
【発明を実施するための形態】
【００１１】
以下、本発明の実施の形態について、図面を参照しながら説明する。
【００１２】
（システム構成）
本実施形態に係る無線通信システムは、一態様として、図１のような構成を有する。そして、端末装置１０１は、第１の基地局装置１０２との接続を維持したまま、第１の中継装置１０４を介した第２の基地局装置１０３との接続を、第２の中継装置１１２を介した第３の基地局装置１１１との接続に切り替えるものとする。
【００１３】
本実施形態では、このようなシステムにおいて、第１の基地局装置１０２と第３の基地局装置１１１とが、互いを自装置内の隣接基地局リスト（隣接セルリスト）に追加するような処理を実行する。すなわち、端末装置１０１は、接続を切り替える際に、切り替え元の第１の中継装置１０４が接続している第２の基地局装置１０３又は第１の基地局装置１０２の情報（例えば基地局装置又はセルの識別子等）を、切り替え先の第２の中継装置１１２へ送信する。なお、この情報は、例えば端末装置１０１から第２の中継装置１１２へ送信される接続要求信号に含められうる。第２の中継装置１１２は、少なくともその第１の基地局装置１０２又は第２の基地局装置１０３の情報を第３の基地局装置１１１へと転送し、第３の基地局装置１１１は、自装置の内部又は外部の制御装置へその情報を転送する。外部の制御装置は例えば上位装置１２０に含まれうる。制御装置は、第１の基地局装置１０２又は第２の基地局装置１０３と第３の基地局装置１１１とが隣接関係にあるか否かを判定する。そして、制御装置は、これらの基地局装置が隣接関係にないと判定した場合で、これらの基地局装置に互いを隣接基地局として設定させるべき場合に、これらの基地局装置に隣接基地局情報を設定させるための指示信号を送信する。各基地局装置は、この指示信号を受信すると、自身の隣接基地局リスト（隣接セルリスト）を更新して、指示信号に含まれる他の基地局装置を、このリストに追加する。各基地局装置は、隣接基地局リストに含まれる他の基地局装置との間でＸ２（Ｘｎ）リンクを確立する。このため、隣接基地局リスト（隣接セルリスト）の更新により、更新前には隣接基地局でなかった他の基地局装置との間でもＸ２（Ｘｎ）リンクが確立されることとなる。そして、このようなリンクが確立されることにより、第１の基地局装置１０２又は第２の基地局装置１０３から、第３の基地局装置１１１へ、端末装置１０１へ送信されるべきデータを転送することができるようになる。なお、このようなリンクを確立しない場合であっても、上位装置１２０等を介してデータを転送することは理論上可能であるが、これと比して、基地局装置間の直接リンクが確立されることによって、高速にデータの転送を行うことが可能となる。
【００１４】
以下では、このような処理を実行する各装置（端末装置、中継装置、基地局装置、及び制御装置）の構成例と、実行される処理の流れの例について詳細に説明する。なお、上位装置は、従来の上位装置と同様の構成を有し、必要に応じて制御装置を含むものとする。このため、以下では上位装置に固有の構成に関する説明については省略し、これに内包されうる制御装置の構成について説明する。なお、制御装置は、基地局装置や上位装置に内包されてもよいし、これらとは別個に存在してもよい。また、各中継装置は、中継専用の装置であってもよいが、端末装置であってもよい。すなわち、中継が、端末間通信を用いて行われてもよい。
【００１５】
（装置のハードウェア構成）
図２に、各装置のハードウェア構成例を示す。各装置は、一例において、図２に示すようなハードウェア構成を有し、例えば、ＣＰＵ２０１、ＲＯＭ２０２、ＲＡＭ２０３、外部記憶装置２０４、及び通信装置２０５を有する。各装置では、例えばＲＯＭ２０２、ＲＡＭ２０３及び外部記憶装置２０４のいずれかに記録された、上述のような各装置の各機能を実現するプログラムがＣＰＵ２０１により実行される。
【００１６】
そして、各装置は、例えばＣＰＵ２０１により通信装置２０５を制御して、他の装置と通信を行う。例えば、端末装置１０１の通信装置２０５は、基地局装置や中継装置（例えば他の端末装置）との間で第４世代のＬＴＥや第５世代のＮＲ等の通信規格に基づいて無線通信を行いうる。また、制御装置の通信装置２０５は、例えば制御装置が基地局装置に含まれる場合は、その基地局装置内の各回路とのインタフェースを介して、その基地局装置が形成するセル内の端末装置や中継装置等との無線通信や、ネットワーク内の他の装置（上位装置１２０や他の基地局装置）との有線／無線通信を行いうる。また、制御装置が基地局装置とは異なるネットワークノード内に含まれる又は独立したネットワークノードである場合は、制御装置の通信装置２０５は、基地局装置等の他のネットワークノードとの間の／無線通信を行いうる。なお、図２の構成において、各装置が、１つの通信装置２０５を有するような概略図を示しているが、これに限られない。例えば、端末装置は、複数の通信装置を有し、Ｄｕａｌ  Ｃｏｎｎｅｃｔｉｖｉｔｙによる２つの接続をそれぞれ別個の通信装置を用いて行うようにしうる。また、中継装置は、端末装置との間の通信と基地局装置との間の通信とのための２つの通信装置を有してもよい。
【００１７】
なお、各装置は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００１８】
（端末装置の機能構成）
図３に、本実施形態に係る端末装置１０１の機能構成例を示す。端末装置１０１は、その機能構成例として、通信部３０１、基地局情報取得部３０２、接続切替処理部３０３、及び基地局情報通知部３０４を有する。なお、端末装置１０１は、一般的な端末装置が有する他の機能を有するが、ここでは説明を簡単にするため、そのような機能については省略している。
【００１９】
通信部３０１は、少なくともＤｕａｌ  Ｃｏｎｎｅｃｔｉｖｉｔｙにより、複数の無線接続を確立して、複数の無線リンクでの通信を並行して行う。ここでは、通信部３０１は、第１の基地局装置１０２との接続を確立し、第１の基地局装置１０２との間で行われる制御通信に基づいて、第２の基地局装置１０３との間の接続を、第１の中継装置１０４を介して確立する。基地局情報取得部３０２は、中継装置から、その中継装置が接続している基地局装置の情報（基地局装置又はセルの識別子等）を取得する。例えば、基地局情報取得部３０２は、第１の中継装置１０４からは第２の基地局装置１０３又は対応するセルの識別子を取得し、接続を第２の中継装置１１２に切り替える場合は、基地局情報取得部３０２は、接続中の中継装置との接続が維持されている間は、その基地局装置の情報を維持する。また、基地局情報取得部３０２は、端末装置１０１が直接接続している基地局装置（第１の基地局装置１０２）又は対応するセルの識別子等の情報を取得しうる。接続切替処理部３０３は、通信部３０１によって確立されている接続の切替処理を実行する。
【００２０】
基地局情報通知部３０４は、接続切替処理部３０３が中継装置との接続（例えば第１の中継装置１０４との間の接続）を切り替える際に、基地局情報取得部３０２によって保持されている、その中継装置又は自装置が接続している基地局装置（第２の基地局装置１０３又は第１の基地局装置１０２）の情報を、接続の切替先の装置に通知する。基地局情報通知部３０４が第１の基地局装置１０２と第２の基地局装置１０３とのいずれの情報を送信するかは、例えば、端末装置へデータを送信する際の送信経路を示すデータパスを第１の基地局装置１０２が管理しているか否かによって決定されうる。例えば、第１の基地局装置１０２が、データパスを管理している場合、基地局情報通知部３０４は、第１の基地局装置１０２の情報を通知しうる。一方、第２の基地局装置１０３や第３の基地局装置１１１又は上位装置１２０等がデータパスを管理している場合は、基地局情報通知部３０４は、第２の基地局装置１０３の情報を通知しうる。すなわち、データが第１の基地局装置１０２を通して第２の基地局装置１０３に転送され、その後に端末装置に送信される場合には、第１の基地局装置１０２の情報が通知される。一方、データが第１の基地局装置１０２を介さずに第２の基地局装置１０３に転送され、その後に端末装置に送信される場合には、第２の基地局装置１０３の情報が通知される。なお、基地局情報通知部３０４は、接続の切替先が中継装置である場合にのみ、接続の切替元の中継装置が接続されている基地局装置の情報を通知してもよい。
【００２１】
（中継装置の機能構成）
図４に、本実施形態に係る中継装置（第１の中継装置１０４、第２の中継装置１１２）の機能構成例を示す。中継装置は、その機能構成例として、中継通信部４０１、及び基地局情報送信部４０２を有する。なお、中継装置は、端末装置によって実現されてもよく、この場合、端末装置は、図３及び図４の両機能を有しうる。また、中継装置は、固定された又は移動する専用の中継装置であってもよい。なお、中継装置は、一般的な通信装置が有する他の機能を有するが、ここでは説明を簡単にするため、そのような機能については省略している。
【００２２】
中継通信部４０１は、少なくとも、基地局装置（第２の基地局装置１０３、第３の基地局装置１０４）と端末装置１０１との間の無線通信を中継するための通信を行う。中継通信部４０１は、例えば、再生中継（場合によっては非再生中継）により、装置間の通信の中継を行うことができるものとする。なお、本実施形態では、中継通信部４０１は、基地局装置又は端末装置からのデータに、接続している基地局装置の情報等のさらなるデータを追加して送信する。
【００２３】
基地局情報送信部４０２は、端末装置１０１が自装置に接続した際に、自装置が接続している基地局装置の情報を端末装置１０１に送信する。なお、この基地局装置の情報の送信は、接続中の端末装置が存在する場合に定期的に繰り返し送信してもよい。例えば、第１の中継装置１０４の基地局情報送信部４０２は、第２の基地局装置１０３の情報を端末装置１０１に送信する。また、第２の中継装置１１２の基地局情報送信部４０２は、第３の基地局装置１１１の情報を端末装置１０１へ送信する。また、基地局情報送信部４０２は、端末装置１０１が他の中継装置から接続を切り替える際にその端末装置１０１から受信した、接続の切替前の中継装置が接続されている基地局装置の情報を、自装置が接続している基地局装置へ転送する。例えば、第２の中継装置１１２は、第１の中継装置１０４に接続されていた端末装置１０１が自装置に接続を切り替える場合、第１の中継装置１０４が接続している第２の基地局装置１０３の情報を、第３の基地局装置１１１へ送信する。この場合、第３の基地局装置１１１は、自装置の内部の制御装置又は外部の制御装置（例えば上位装置１２０）へ、この第２の基地局装置１０３の情報を転送する。
【００２４】
（基地局装置の機能構成）
図５に、本実施形態に係る基地局装置の機能構成例を示す。基地局装置は、例えば、無線通信部５０１、切替前情報取得部５０２、隣接関係判定部５０３、関係通知部５０４、及び、有線通信部５０５を有する。なお、基地局装置は、一般的な基地局装置が有する他の機能を有するが、ここでは説明を簡単にするため、そのような機能については省略している。例えば、図示はしていないが、基地局装置は、自装置の識別子または自装置が形成するセルごとのセル識別子を端末装置又は中継装置へ通知する構成を有しうる。
【００２５】
無線通信部５０１は、端末装置や中継装置との間で無線通信を行う。切替前情報取得部５０２は、中継装置から、その中継装置に接続した端末装置が、接続の切替前に接続していた基地局装置の情報を取得する。例えば、第２の基地局装置１１１の切替前情報取得部５０２は、端末装置１０１が第１の中継装置１０４から第２の中継装置１１２へ接続を切り替える場合、第１の中継装置１０４が接続していた第２の基地局装置１０３の情報又は第１の基地局装置１０２の情報を取得する。隣接関係判定部５０３は、切替前情報取得部５０２が取得した基地局装置の情報が、自装置の隣接基地局リスト（隣接セルリスト）に登録されているか否かを判定する。関係通知部５０４は、切替前情報取得部５０２が取得した基地局装置の情報が、自装置の隣接基地局リスト（隣接セルリスト）に登録されていないと隣接関係判定部５０３が判定した場合に、取得した基地局装置の情報と自装置の情報とを、制御装置へ通知する。例えば、第３の基地局装置１１１の隣接基地局リストに第２の基地局装置１０３の情報が登録されていない場合、関係通知部５０４は、第２の基地局装置１０３の情報と第３の基地局装置１１１の情報の組合せを、制御装置に通知する。同様に、第３の基地局装置１１１の隣接基地局リストに第１の基地局装置１０２の情報が登録されていない場合に、関係通知部５０４は、第１の基地局装置１０２の情報と第３の基地局装置１１１の情報の組合せを、制御装置に通知してもよい。有線通信部５０５は、例えば、コアネットワーク等の有線通信ネットワークを介して通信を行う。例えば、関係通知部５０４は、有線通信部５０５を介して、取得した基地局装置の情報と自装置の情報とを制御装置へ通知する。
【００２６】
（制御装置の機能構成）
図６に、本実施形態に係る制御装置の機能構成例を示す。制御装置は、その機能構成例として、情報取得部６０１、関係登録判定部６０２、及び関係登録指示部６０３を有する。なお、制御装置は、基地局装置に内包されてもよく、この場合、基地局装置は、図５及び図６の両機能を有しうる。なお、制御装置は、例えば独立したネットワークノードとして機能する場合には一般的なネットワークノードが有する他の機能を有するが、ここでは説明を簡単にするため、そのような機能については省略している。
【００２７】
情報取得部６０１は、基地局装置の関係通知部５０４によって通知される情報を取得する。関係登録判定部６０２は、情報取得部６０１が取得した情報に基づいて、各基地局装置の隣接基地局リストへの情報追加を行うか否かを判定する。例えば、関係登録判定部６０２は、情報取得部６０１によって、第２の基地局装置１０３の情報と第３の基地局装置１１１の情報の組合せが取得された場合、第２の基地局装置１０３に第３の基地局装置１１１の情報を登録させると判定しうる。また、この場合、関係登録判定部６０２は、第３の基地局装置１１１に第２の基地局装置１０３の情報を登録させると判定しうる。なお、関係登録判定部６０２は、例えば、第２の基地局装置１０３の情報と第３の基地局装置１１１の情報の組合せの情報を所定時間長の期間内に所定回数以上取得した場合に、各基地局装置の隣接基地局リストへの情報追加を行うと判定しうる。関係登録指示部６０３は、関係登録判定部６０２が各基地局装置の隣接基地局リストへの情報追加を行うと判定した場合に、情報の追加を各基地局装置に指示する。これにより、各基地局装置の隣接基地局リスト（隣接セルリスト）に、他の基地局装置の情報が追加され、中継伝送を考慮した隣接基地局関係が構築される。なお、関係登録判定部６０２は、第２の基地局装置１０３及び第３の基地局装置１１１の両方に対して、隣接基地局リストへ他方の基地局の情報を登録させてもよいが、いずれか一方に対してのみ、他方の基地局の情報を登録させてもよい。
【００２８】
（処理の流れ）
続いて、本実施形態に係る無線通信システムで実行される処理の流れの例について、図７及び図８を用いて説明する。なお、図７は、制御装置が第３の基地局装置１１１の外部のネットワークノード（例えば上位装置１２０）又は第１の基地局装置１０２に内包される場合の処理の例であり、図８は、制御装置が第３の基地局装置１１１に内包される場合の処理の流れの例である。また、図８では、図７と同様の処理については、図７と共通の参照符号を付して詳細な説明については省略する。
【００２９】
図７において、まず、端末装置１０１が、第１の中継装置１０４を介して第２の基地局装置１０３との間で接続を確立したものとする（Ｓ７０１）。そして、第１の中継装置１０４は、自装置が接続している第２の基地局装置１０３の情報を、端末装置１０１へ通知する（Ｓ７０２）。また、端末装置１０１は、第２の基地局装置１０３との間のデータ通信を第１の中継装置１０４を介して行う（Ｓ７０３）。なお、第１の中継装置１０４は、第２の基地局装置１０３の情報を例えば予め保持しておき、接続の確立処理の間に、第２の基地局装置１０３の情報を端末装置１０１に通知してもよい。また、端末装置１０１は、第２の基地局装置１０３との間で、中継装置を介さずに直接接続を確立してもよく、この場合、第２の基地局装置１０３との接続確立時やその後に別途送信される信号やデータ通信によって、第２の基地局装置１０３の情報を取得する。なお、端末装置１０１は、第１の基地局装置１０２との制御通信に基づいて、（第１の中継装置１０４を介するか否かによらず）第２の基地局装置１０３との間の接続を確立し、第２の基地局装置１０３との間でデータ通信を行うことができる。端末装置１０１へ送信されるデータは、第１の基地局装置１０２から第２の基地局装置１０３へ（Ｘ２やＸｎ等の基地局間通信リンクを介して）伝送されてもよいし、（例えば上位装置１２０等から）第１の基地局装置１０２を介さずに第２の基地局装置１０３へ伝送されてもよい。このときのデータ伝送の経路を示すパスはデータパスと呼ばれ、データパスが第１の基地局装置１０２を経由する場合には第１の基地局装置１０２がデータパス管理を行うノードとなりうる。また、データパスが第１の基地局装置１０２を経由しない場合には第２の基地局装置１０３や第３の基地局装置１１１、上位装置１２０等がデータパス管理を行うノードとなりうる。
【００３０】
その後、例えば端末装置１０１が移動したことによって、第１の中継装置１０４又は第２の基地局装置１０３との間の無線リンクの無線品質が劣化し、端末装置１０１が接続先の切替（ハンドオーバ）を実行すると決定したものとする。そして、端末装置１０１は、例えば、周囲の装置が送信する参照信号によって各装置との間の無線品質を測定し、この測定結果によって端末装置１０１の接続切替先が決定される。例えば、ここでは図示していないが、端末装置１０１は、第１の基地局装置１０２へ無線品質の測定結果を報告し、第１の基地局装置１０２は、その測定結果から端末装置１０１が接続すべき相手装置を決定し、その決定結果を端末装置１０１へ送信する。なお、端末装置１０１は、接続の切替先を、第１の基地局装置１０２によらずに自律的に決定してもよい。なお、ここでは、一例として、第２の中継装置１１２が、端末装置１０１の接続の切替先として決定されたものとしている。この場合、端末装置１０１は、第２の中継装置１１２に、接続切替要求信号を送信する。さらに、端末装置１０１は、このときに、接続切替前に接続していた基地局装置の情報（例えば基地局装置の識別子や、その基地局装置が形成するセルの識別子）を、第２の中継装置１１２へ送信する（Ｓ７０４）。なお、接続切替要求信号の送信と基地局装置の情報の送信は、別個に行われてもよいし、１つの信号によって行われてもよい。また、端末装置１０１は、例えば、データパス管理を第１の基地局装置１０２が行っている場合には第１の基地局装置１０２の情報を基地局装置の情報として送信し、データパス管理を第１の基地局装置１０２以外の装置が行っている場合には第２の基地局装置１０３の情報を基地局装置の情報として送信しうる。また、端末装置１０１は、第１の基地局装置１０２の情報と第２の基地局装置１０３の情報の両方を送信してもよい。なお、図７の例では、端末装置１０１は、第１の基地局装置１０２はデータパスを管理しておらず、第２の基地局装置１０３の情報を第２の中継装置１１２へ送信したものとする。
【００３１】
第２の中継装置１１２は、端末装置１０１から受信した基地局装置の情報を、自装置が接続している第３の基地局装置１１１へ転送する（Ｓ７０５）。なお、第２の中継装置１１２は、端末装置１０１から受信した信号（データ）をそのまま第３の基地局装置１１１へ転送してもよいし、端末装置１０１から受信した信号（データ）の一部のみを第３の基地局装置１１１へ転送してもよい。
【００３２】
第３の基地局装置１１１は、受信した基地局装置の情報に基づいて、端末装置１０１の接続切替前に接続していた基地局装置（第１の基地局装置１０２又は第２の基地局装置１０３）又はその対応するセルが、隣接基地局リスト（隣接セルリスト）に登録されているか否かを判定することにより、通知された基地局装置が自装置の隣接基地局であるかを判定する（Ｓ７０６）。ここで、通知された基地局装置が第３の基地局装置１１１の隣接基地局であると判定された場合には、第３の基地局装置１１１は、通知された基地局装置との間で基地局間通信リンクを確立していることが想定される。このため、第３の基地局装置１１１は、その切替前の基地局装置に対して、端末装置１０１へ送信すべきデータの転送を要求し、送信対象のデータを取得することができる。一方、第３の基地局装置１１１の隣接基地局でないと判定された場合には、第３の基地局装置１１１は、通知された基地局装置の情報と自装置の情報との組合せの情報を、制御装置へ送信する（Ｓ７０７）。例えば、第３の基地局装置１１１は、第１の基地局装置１０２又は第２の基地局装置１０３の情報と、第３の基地局装置１１１の情報とを組み合わせた情報を、制御装置へ送信する。
【００３３】
制御装置は、この組合せの情報に基づいて、通知された組合せの基地局装置を隣接関係とするか否か、すなわち、通知された各基地局装置に隣接基地局の情報を追加させるか否かを判定する（Ｓ７０８）。例えば、制御装置は、組合せの情報を受信したことに応じて、隣接基地局の情報を追加させると決定してもよいし、所定期間内に所定回数以上同じ組合せの情報を受信したことを条件として、隣接基地局の情報を追加させると判定してもよい。制御装置は、隣接基地局の情報を追加させると決定した場合、隣接基地局の情報を追加させるための指示を送信する。本例では、上述のように、データパスを第１の基地局装置１０２が管理しておらず、第２の基地局装置１０３の情報が端末装置１０１から第２の中継装置１１２へ送信されている。このため、第２の基地局装置１０３の情報と第３の基地局装置１１１の情報の組合せが制御装置に通知されている。このため、制御装置は、これらの基地局装置に隣接基地局の情報を追加させると判定した場合、第２の基地局装置１０３に対して第３の基地局装置１１１の情報を隣接基地局リスト（隣接セルリスト）に追加することを指示し、また、第３の基地局装置１１１に対して第２の基地局装置１０３の情報を隣接基地局リスト（隣接セルリスト）に追加することを指示する（Ｓ７０９）。なお、第１の基地局装置１０２の情報と第３の基地局装置１１１の情報の組合せが制御装置に通知されており、これらの基地局装置に隣接基地局の情報を追加させると判定した場合、制御装置は、第１の基地局装置１０２に対して第３の基地局装置１１１の情報を隣接基地局リスト（隣接セルリスト）に追加することを指示し、また、第３の基地局装置１１１に対して第１の基地局装置１０２の情報を隣接基地局リスト（隣接セルリスト）に追加することを指示する。なお、制御装置は、第１の基地局装置１０２又は第２の基地局装置１０３に対して第３の基地局装置１１１の情報を登録することを指示することと、第３の基地局装置１１１に第１の基地局装置１０２又は第２の基地局装置１０３の情報を登録することを指示することとの一方のみを行ってもよい。すなわち、第１の基地局装置１０２又は第２の基地局装置１０３に第３の基地局装置１１１の情報を登録させる一方で、第３の基地局装置１１１に第１の基地局装置１０２又は第２の基地局装置１０３の情報を登録させなくてもよい。
【００３４】
その後、指示を受けた基地局装置（図７の例では第２の基地局装置１０３及び第３の基地局装置１１１）は、指示に従って、隣接基地局リスト（隣接セルリスト）に情報を追加し、リストを更新する（Ｓ７１０）。そして、基地局装置は、この更新に伴って、新たにリストに追加された基地局装置との間で基地局間通信リンクを確立する。これにより、中継装置による中継を考慮した隣接基地局関係が構築され、例えば第３の基地局装置１１１は、第２の基地局装置１０３から迅速にデータの転送を受けることが可能となる。
【００３５】
なお、制御装置が基地局装置の情報の組合せを受信したことに応じて隣接基地局の情報の追加を行うと決定すると分かっている場合は、第３の基地局装置１１１は、予めＳ７０５で取得した基地局装置の情報を隣接基地局リスト（隣接セルリスト）に追加しておくことができる。この場合、制御装置は、第３の基地局装置１１１に対しては上述の指示を送信しなくてもよい。
【００３６】
図８では、制御装置が第３の基地局装置１１１に内包されている。このため、図７のＳ７０７及びＳ７０９のような第３の基地局装置１１１と制御装置との間の通信は、第３の基地局装置１１１内部のバス等を経由して内部的に実行される。また、Ｓ７０８の判定は、第３の基地局装置１１１内部で実行されることとなる（Ｓ８０１）。そして、Ｓ８０１の判定結果に応じた隣接基地局リスト（隣接セルリスト）への情報の追加指示は、第２の基地局装置１０３に対してのみ送信される（Ｓ８０２）。このようにして、制御装置が第２の基地局装置１０３の内部に存在する場合であっても、図７と同様に処理が実行されることとなる。そして、この処理例によっても、中継装置による中継を考慮した隣接基地局関係が構築され、例えば第３の基地局装置１１１は、第２の基地局装置１０３から迅速にデータの転送を受けることが可能となる。
【００３７】
以上、本実施形態に係る代表的な構成及び処理の流れについて説明したが、これらは一例にすぎず、特許請求の範囲に記載された範囲での、本明細書に記載された実施形態に対する様々な変形及び変更も、本発明の権利範囲内に当然に含まれるものである。
【図１】
2019134224.tif 000003
【図２】
2019134224.tif 000004
【図３】
2019134224.tif 000005
【図４】
2019134224.tif 000006
【図５】
2019134224.tif 000007
【図６】
2019134224.tif 000008
【図７】
2019134224.tif 000009
【図８】
2019134224.tif 000010